(57)【要約】      （修正有）【課題】分割体を連結してなる端子の連結状態を解く方向への力に抵抗する。【解決手段】端子１０、７０を積層状態に組み合わせボルト挿通孔７７に挿通したボルトで締付固定される組合せ端子金具であって、端子１０、７０のうちの少なくとも一つの端子１０は、電線Ｗとの電線接続部３３、５３を有する第１分割体３０と第２分割体５０からなり、所定方向へのスライドにより両分割体を連結係止する連結部が設けられ、端子１０、７０には、両分割体の連結の為のスライド方向とほぼ直交方向へのスライドにより両端子を積層する少なくとも２対の端子組合せ係合部２１及び端子組合せ被係合部８１が設けられ、端子組合せ係合部２１は両分割体に形成され、端子組合せ被係合部８１は端子７０に両分割体の連結の為のスライド方向について変位不能な状態で設けられている。【選択図】図２
2017142895.tif 000002
【特許請求の範囲】
【請求項１】
それぞれボルト挿通孔を有する複数枚の端子を積層状態に組み合わせて前記ボルト挿通孔に挿通したボルトによって端子固定部分に締付固定される組合せ端子金具であって、
前記複数枚の端子のうちの少なくとも一つの端子は、それぞれ電線を接続可能な電線接続部を有する第１分割体及び第２分割体からなると共に、前記各分割体には所定方向にスライドさせることにより係合して両分割体を連結状態にする連結部が設けられ、
前記各端子には、前記両分割体の連結のための前記スライド方向とはほぼ直交する方向にスライドすることにより互いに係合して前記両端子を積層状態に組み合わせる少なくとも２対の端子組合せ係合部及び端子組合せ被係合部が設けられており、
前記端子組合せ係合部は前記第１分割体及び前記第２分割体の双方にそれぞれ形成されると共に、前記端子組合せ被係合部は前記両分割体を連結させてなる端子と積層される端子に前記両分割体の連結のための前記スライド方向については互いに変位不能な状態で設けられている組合せ端子金具。
【請求項２】
前記連結部は、前記ボルトとの接触面の外側であって、前記ボルト挿通孔を挟んで対向する位置に一対設けられている請求項１に記載の組合せ端子金具。
【請求項３】
請求項１又は請求項２に記載の組合せ端子金具は、２枚の前記端子を積層させることで構成されており、
前記他の端子が、一枚板で形成されており、かつ前記分割体を連結してなる端子の前記ボルトと接触する側に積層されている組合せ端子金具。
【請求項４】
請求項１から請求項３のいずれか一項に記載の組合せ端子金具は、２枚の前記端子を積層させることで構成されており、
前記他の端子は、前記分割体を連結してなる端子の前記ボルトと接触する側に積層されており、
前記端子組合せ係合部は、前記ボルト挿通孔の両側孔縁が板厚一枚分上がった形状となっており、
前記端子組合せ被係合部は、ボルト挿通孔の両側孔縁が板厚一枚分下がった形状となっている組合せ端子金具。
【発明の詳細な説明】
【技術分野】
【０００１】
本発明は、組合せ端子金具に関する。
【背景技術】
【０００２】
従来、自動車において、電装機器のアース接続のために端子を金属製の車体パネル（アースポイント）に接続することが行われている。このような端子では、パネル面の上に端子が配され、この端子をボルト等によりパネルに締結することで、アース接続を行う。そして、自動車においては多数の電装機器が用いられるため、複数の端子をパネルにアース接続する必要がある。これらの個々の端子をそれぞれアースポイントに接続しようとすると、アースポイントが複数必要となる。しかし、アースポイントを増やすのにはスペース的に限界がある。
【０００３】
そこで、特開２０１０−１７０８５３号公報（下記特許文献１）に示すように、複数の分割型の端子を組み合わせてボルト締めする構成が考えられている。具体的には、この組み合わせアース端子は、電線に一対一で接続する例えば４個の弧状をなすアース端子金具を円環状に連結して組み合わせる組み合せアース端子であって、各アース端子金具は電線と接続される電線接続部と、電線接続部に連続する円弧形状の電気接触部とを備えている。そして、電気接触部の円弧の両端には、係止部と被係止部が設けられており、隣り合う係止部と被係止部が係止されることで、電気接触部が連結されてボルト孔が形成される。係止部には、被係止部に設けられた孔に係止する係止突起が設けられており、被係止部は、Ｌ型の突出片を突出して係止部が挿入可能なボックス形状となっている。なお、係止部と被係止部の係止は下面側で行うため、ボルト頭部と接触する上面は平滑な円環形状となっている。
【先行技術文献】
【特許文献】
【０００４】
【特許文献１】特開２０１０−１７０８５３号公報
【発明の概要】
【発明が解決しようとする課題】
【０００５】
特開２０１０−１７０８５３号公報（上記特許文献１）のような組み合わせ端子では、弧状をなすアース端子同士を円環状に連結する構造であるから、その円環が拡がる方向への力に対して弱く、例えば連結状態の確認のためにボルト挿通孔にテーパー軸を押し込む連結テストや特定方向に電線などが引っ張られることにより、係止部と被係止部の係合が解けて弧状の端子に分解してしまう虞がある。
【課題を解決するための手段】
【０００６】
本明細書で開示される組合せ端子金具は、それぞれボルト挿通孔を有する複数枚の端子を積層状態に組み合わせて前記ボルト挿通孔に挿通したボルトによって端子固定部分に締付固定される組合せ端子金具であって、前記複数枚の端子のうちの少なくとも一つの端子は、それぞれ電線を接続可能な電線接続部を有する第１分割体及び第２分割体からなると共に、前記各分割体には所定方向にスライドさせることにより係合して両分割体を連結状態にする連結部が設けられ、前記各端子には、前記両分割体の連結のための前記スライド方向とはほぼ直交する方向にスライドすることにより互いに係合して前記両端子を積層状態に組み合わせる少なくとも２対の端子組合せ係合部及び端子組合せ被係合部が設けられており、前記端子組合せ係合部は前記第１分割体及び前記第２分割体の双方にそれぞれ形成されると共に、前記端子組合せ被係合部は前記両分割体を連結させてなる端子と積層される端子に前記両分割体の連結のための前記スライド方向については互いに変位不能な状態で設けられている。
【０００７】
このような構成によると、各分割体がそれぞれ電線接続部を有するから、端子一枚分で、２本の電線と接続することができ、一つのアースポイントにより多くの電線を接続することができる。
【０００８】
また、第１分割体と第２分割体とをスライドして連結部で連結し、両分割体からなる端子に他の端子を積層して組み合わせることになるが、その際には端子組合せ係合部と端子組合せ被係合部とを両分割体のスライド連結方向とは直交する方向に端子相互をスライドさせて組み合わせて積層する。
【０００９】
そして、両端子が積層された組合せ状態にあるとき、仮にボルト挿通孔を広げるような力が作用したとしても、端子組合せ係合部は両分割体の双方にそれぞれ形成されると共に、端子組合せ被係合部は両分割体のスライド連結方向については互いに変位不能な状態で設けられているから、両分割体の連結状態を解く方向の力に抵抗することができる。
【００１０】
本明細書に開示される組合せ端子金具の実施の態様として、以下の構成としても良い。
前記連結部は、前記ボルトとの接触面の外側であって、前記ボルト挿通孔を挟んで対向する位置に一対設けられている構成としても良い。
【００１１】
このような構成では、ボルトとの接触面の外側に連結部が設けられていることから、連結部の構造によってボルトとの接触面部分の板厚が厚くなることを抑制することができる。そのため、ボルト締結後のボルトを含めた組合せ端子金具全体の高さを抑制することができる。また、ボルト挿通孔を挟んで対向する位置で第１分割体と第２分割体を連結していることから、ずれの発生を抑制することができる。
【００１２】
また、本明細書に記載の組合せ端子金具は、２枚の前記端子を積層させることで構成されており、前記他の端子が、一枚板で形成されており、かつ前記分割体を連結してなる端子の前記ボルトと接触する側に積層されている構成としても良い。
【００１３】
このような構成によると、ボルトと接触する側には一枚板の他の端子を用いる。そのため、ボルトを締結する際のトルクが直接分割体を連結してなる端子にかからず、分割体の連結状態を解く力が分割体にかかりにくくなり、両分割体の連結状態が解かれにくくなる。
【００１４】
また、本明細書に記載の組合せ端子金具は、２枚の前記端子を積層させることで構成されており、前記他の端子は、前記分割体を連結してなる端子の前記ボルトと接触する側に積層されており、前記端子組合せ係合部は、前記ボルト挿通孔の両側孔縁が板厚一枚分上がった形状となっており、前記端子組合せ被係合部は、ボルト挿通孔の両側孔縁が板厚一枚分下がった形状となっている構成としても良い。
【００１５】
このような構成によると、他の端子の端子組合せ被係合部が、分割体を連結してなる端子の端子組合せ係合部の下側にスライド挿入されることで、端子組合せ係合部と端子組合せ被係合部が係合して端子同士が組み合わされる。つまり、板厚方向にも端子同士が係合し合っているため、両分割体の連結状態を解く方向の力にさらに抵抗することができる。
【発明の効果】
【００１６】
本明細書に開示された組合せ端子金具によれば、分割体を連結してなる端子の連結状態を解く方向への力に抵抗することができる。
【図面の簡単な説明】
【００１７】
【図１】実施形態における組合せ端子金具の平面図
【図２】第１の端子の連結前の状態の組合せ端子金具の平面図
【図３】第１の端子を連結後の組合せ端子金具の平面図
【図４】図１におけるＩＶ−ＩＶ断面における断面図
【図５】図１におけるＶ−Ｖ断面における断面図
【図６】図１におけるＶＩ−ＶＩ断面における断面図
【図７】図１におけるＶＩＩ−ＶＩＩ断面における断面図
【発明を実施するための形態】
【００１８】
＜実施形態＞
実施形態について図１から図７を参照して説明する。
本実施形態の組合せ端子金具Ｔは、図１及び図４に示すように、金属製のパネル９０に接する第１の端子１０（「分割体を連結してなる端子」の一例）と、第１の端子１０に重ねられて組み合せられる第２の端子７０（「他の端子」の一例）とを備えている。各端子１０、７０は自動車のワイヤーハーネスのアース用の電線Ｗの端末に圧着されており、これら２つの端子１０、７０が組み合わせられて、パネル９０に頭付ボルト９５（「ボルト」の一例）によって取り付けられることにより、アース用の電線Ｗがアースをとるようになっている。なお、本実施形態において、上下方向については、第２の端子７０が重ねられる側を上側とし、パネル９０側を下側とする。また、図３における左側を前方とし、右側（電線Ｗ側）を後方とする。
【００１９】
パネル９０は、図４に示すように、導電性の金属で形成されており、その表面がアース接続用の金属面とされている。また、パネル９０の下側（裏側）には、頭付ボルト９５と螺合可能なナットが溶接固定されており、パネル９０には、ナットの雌ネジ孔を露出可能な開口部９１が設けられている。また、このナットに頭付ボルト９５が螺合することで、組合せ端子金具Ｔが固定されている。頭付ボルト９５は、頭部９７と軸部９９とを備えており、頭部９７の下面が第２の端子７０と接触するようになっている。
【００２０】
次に、第１の端子１０について図２及び図３を用いて説明する。第１の端子１０は、第１分割体３０と第２分割体５０とを連結することで構成されている。また、第１の端子１０は、第２の端子７０が重ねられる第１本体部１１と、第１本体部１１に設けられた第１ボルト挿通孔１３（「ボルト挿通孔」の一例）と、第２の端子７０と係合する端子組合せ係合部２１とを備えている。
【００２１】
第１本体部１１は、図２及び図３に示すように、第１分割体３０の第１分割体本体部３１と第２分割体５０の第２分割体本体部５１とを組み合わせることで形成されており、略矩形状の平板状となっている。また、第１本体部１１には、後記する第２の端子７０の第２本体部７１が重ねられるようになっており、第２本体部７１とほぼ同じ形となっている。第１本体部１１の略中央位置には、第１ボルト挿通孔１３が挿通している。
【００２２】
第１ボルト挿通孔１３は、頭付ボルト９５の軸部９９を挿通可能な大きさとされている。そして、第１ボルト挿通孔１３の孔縁は、前後方向に対向する部分（前後孔縁１３Ａ）が直線状とされ、左右方向（幅方向）に対向する部分（両側孔縁１３Ｂ）が頭付ボルト９５の軸部９９の外周形状に沿う円弧状となっている。そして、第１本体部１１のうち第１ボルト挿通孔１３の前後孔縁１３Ａの近くには、第２の端子７０が組み合わされたときに両者の接触状態を良好に保つために、上側に凸状に叩き出された叩き出し部１５が一対設けられている。また、第１ボルト挿通孔１３の両側孔縁１３Ｂの側方には、第２の端子７０と係合する端子組合せ係合部２１が設けられている。
【００２３】
端子組合せ係合部２１は、図３及び図７に示すように、第１本体部１１のうち第１ボルト挿通孔１３の両側孔縁１３Ｂの孔縁部が、第１本体部１１より板厚分一段上がった形態で設けられている。また、端子組合せ係合部２１は、第１分割体３０及び第２分割体５０の双方にそれぞれ形成されている。端子組合せ係合部２１が第２の端子７０の端子組合せ被係合部８１と係合することで、第１の端子１０と第２の端子７０とは、積層状態に組み合わされる。
【００２４】
より具体的には、図３に示すように、端子組合せ係合部２１のうちの一方（第２の端子７０に近接する側）は、突状片２１Ａとブリッジ片２３とから構成されている。突状片２１Ａは、第１ボルト挿通孔１３の両側孔縁１３Ｂの孔縁部の一方を板厚一枚分程度上方に叩き出したブリッジ片２３から外側（第１ボルト挿通孔１３と反対側）に張り出して形成されている。また、突状片２１Ａの前後には、隙間Ｓ１が設けられており、端子組合せ被係合部８１の進入を許容している。そして、第１分割体本体部３１には、隙間Ｓ１を挟んで突状片２１Ａに対向する対向面２５が形成されている。そして、端子組合せ係合部２１のうちの他方は、ブリッジ片２３と同じ高さ位置まで第１ボルト挿通孔１３の両側孔縁１３Ｂの孔縁部の他方を板厚上方に叩き出した叩き出し片２１Ｂとなっている。
【００２５】
また、端子組合せ被係合部８１のうち第１の端子１０に近接する側には、後記する第２ボルト挿通孔７７（「ボルト挿通孔」の一例）の両側孔縁７７Ｂの孔縁部の一方を下方に叩き出したブリッジ片８３から外側（第２ボルト挿通孔７７と反対側）に張り出した突状片８１Ａが設けられている。突状片８１Ａの前後には、隙間Ｓ２が設けられており、端子組合せ係合部２１の進入を許容している。また、第２の端子７０の第２本体部７１には、隙間Ｓ２を挟んで突状片８１Ａに対向する対向面８５が形成されている。そして、端子組合せ被係合部８１のうちの他方は、ブリッジ片８３と同じ高さ位置まで第２ボルト挿通孔７７の両側孔縁７７Ｂの孔縁部の他方を上方に叩き出した叩き出し片８１Ｂとなっている。
【００２６】
そして、図７に示すように、第１の端子１０の突状片２１Ａが第２の端子７０の叩き出し片８１Ｂの上に重なり、第１の端子１０の叩き出し片２１Ｂが第２の端子７０の突状片８１Ａの上に重なるようになっている。突状片２１Ａの中央には下方へ向けて突片２７が切り伏してあり、これが第２の端子７０側の叩き出し片８１Ｂに設けられた端子係合孔８９に嵌まり込むようになっている。一方、叩き出し片２１Ｂの中央には端子係合孔２９が開口しており、そこには第２の端子７０側の突状片８１Ａに上方に向けて切り起こされた突片８７が嵌まり込むようになっている。
【００２７】
第１分割体３０は、例えば、銅、銅合金、アルミニウム、アルミニウム合金等の導電性の金属からなり、所定形状に打ち抜いて曲げ加工を施すことで形成されている。第１分割体３０は、図２及び図３に示すように、第１分割体本体部３１と、電線Ｗに接続される第１電線接続部３３と、第１分割体本体部３１から前方に延出した延出片３５と、第１分割体本体部３１から後方に延びた後端部４５とを備えている。第１分割体本体部３１には、端子組合せ係合部２１の叩き出し片２１Ｂ及び叩き出し部１５が設けられている。
【００２８】
第１電線接続部３３は、第１の端子１０の幅方向において、第２の端子７０から離間した側の端部寄りの位置から後方に向かって後端部４５から延びる形で形成されている。第１電線接続部３３は、電線Ｗが圧着されるオープンバレル形式のワイヤバレル３３Ａとインシュレーションバレル３３Ｂとが設けられている。ワイヤバレル３３Ａは、電線Ｗにおける芯線端末にかしめられており、ワイヤバレル３３Ａの後方に形成されたインシュレーションバレル３３Ｂは、電線Ｗの絶縁被膜の端末にかしめられている。
【００２９】
第１分割体本体部３１より前側の領域は、図２及び図３に示すように、延出片３５となっている。延出片３５は、第１分割体本体部３１の幅から第１本体部１１の幅まで拡幅された後、先端側へ行くにしたがって幅を狭めるように延出しており、略三角形状をしている。そして、延出片３５の先端側（前端側）に回り止め片３７が形成されている。回り止め片３７は、図４に示すように、パネル９０（「端子固定部分」の一例）に設けられた係合孔９３に嵌り込むようになっており、これにより頭付ボルト９５の締付時に組合せ端子金具Ｔが連れ回りするのを防止するようになっている。
【００３０】
第２分割体５０は、例えば、銅、銅合金、アルミニウム、アルミニウム合金等の導電性の金属からなり、所定形状に打ち抜いて曲げ加工を施すことで形成されている。第２分割体５０は、図１に示すように、第２分割体本体部５１と、電線Ｗを接続する第２電線接続部５３とを備えている。第２分割体本体部５１には、端子組合せ係合部２１の突状片２１Ａとブリッジ片２３とが設けられている。第２電線接続部５３は、第１の端子１０における第２の端子７０側の端部寄りの位置から後方に向かって形成されている。第２電線接続部５３は、第１電線接続部３３と同様に、電線Ｗが圧着されるオープンバレル形式のワイヤバレル５３Ａとインシュレーションバレル５３Ｂとが設けられている。
【００３１】
次に、第１分割体３０と第２分割体５０との連結構造について説明する。図２及び図５に示すように、第２分割体５０の第２分割体本体部５１から前方に向かって連結片６１（「連結部」の一例）が突出している。連結片６１は、板厚一枚分上方に折り曲げられた後第２分割体本体部５１と平行に延びるように第２分割体本体部５１の端部から突出している。そのため、第１分割体３０と第２分割体５０とを連結する際に、連結片６１は第１分割体３０の延出片３５の上面に重なるように差し込まれる。そして、連結片６１の先端部には、略矩形状の係合孔６３（「連結部」の一例）が設けられている。
【００３２】
一方、第１分割体３０の延出片３５には、第２分割体５０の連結片６１が上方に浮かないように押さえ込む押さえ込み部４１（「連結部」の一例）と係合孔６３に係合する係合突起４３（「連結部」の一例）とが設けられている。押さえ込み部４１は、延出片３５から上方に切り起こすことで形成されている。具体的には、延出片３５の幅方向の略中央位置から連結片６１の上方に位置するように略Ｌ字状に折り曲げられ、延出片３５と平行に連結片６１と直交する方向に連結片６１の幅方向の寸法程度に延びた後に、再度下方に略Ｌ字に折り曲げられている。押さえ込み部４１には、連結片６１の側面に当接する一対の側面部４１Ａと、連結片６１の上方から押さえ込む上面部４１Ｂとが設けられることで、略コの字状に形成されている。押さえ込み部４１の上面部４１Ｂは、延出片３５より略板厚２枚分上に位置している。また、押さえ込み部４１の前方には、係合突起４３が上方に突出するように設けられている。そして、この係合突起４３が係合孔６３の孔縁に係止することで、係合突起４３が係合孔６３と係合する。
【００３３】
また、図２及び図３に示すように、連結片６１と第１ボルト挿通孔１３を挟んで対向する位置で、第１分割体３０と第２分割体５０とが係止されている。具体的には、第２分割体本体部５１の後端部から、第１の端子１０の幅方向（第１分割体３０の後端部４５の方向）に延びることで、延伸部６５が設けられている。延伸部６５は、第２分割体本体部５１と面一で、第１の端子１０の側面から若干側方に突出する位置まで延びるように設けられている。延伸部６５の第２の端子７０から離間した側の端部には、曲げ片６７が設けられている。曲げ片６７は、延伸部６５の端部から略Ｌ字状に立ち上げられた後、延伸部６５との間に板厚１枚分の空間を設けた後に再度内側に延伸部６５と平行になるように折り曲げられている。
【００３４】
そして、第１分割体３０の後端部４５が延伸部６５と曲げ片６７との間に挟み込まれるようになっている。後端部４５は、延伸部６５と同じ位置まで幅方向に拡幅している。また、後端部４５は、その下側に延伸部６５が差し込まれるように、第１分割体本体部３１よりも板厚１枚分上方に位置するように、第１分割体本体部３１の後端で折り曲げられている。そして、後端部４５が曲げ片６７の内面と当接することで、第１分割体本体部３１が幅方向に移動することを妨げている。一方、延伸部６５は第１分割体本体部３１の後端面に当接することで、所定位置よりも前方への移動が規制されている。
【００３５】
第２の端子７０は、例えば、銅、銅合金、アルミニウム、アルミニウム合金等の導電性の金属からなり、所定形状に打ち抜いて曲げ加工を施すことで形成されている。第２の端子７０は、図３に示すように、板状の第２本体部７１と電線接続部７３とを備えている。電線接続部７３は、第１の端子１０の第２電線接続部５３とほぼ同じ位置に設けられている。そのため、第２電線接続部５３と重ならないように、第２電線接続部５３の高さより電線接続部７３が上方に位置するように第２本体部７１と電線接続部７３との間に繋ぎ部７５が設けられている。繋ぎ部７５は、第２本体部７１から斜め上方に折り曲げられたのちに、電線接続部７３と第２電線接続部５３が略平行になるように再度折り曲げられて形成されている。
【００３６】
第２の端子７０の第２本体部７１は、その中央に頭付ボルト９５を挿通させる第２ボルト挿通孔７７を有している。第２ボルト挿通孔７７を含めたその周辺構造は上記の第１の端子１０における第１ボルト挿通孔１３の周辺構造と類似しているため、説明を省略する。なお、第２ボルト挿通孔７７の両側孔縁７７Ｂの孔縁部には上記した端子組合せ被係合部８１が設けられている。第２本体部７１が一枚板で形成されていることから、端子組合せ被係合部８１は互いに前後方向については変位不能な状態で設けられている。
【００３７】
次に、組合せ端子金具Ｔの組み付け手順について説明する。まず、第１分割体３０及び第２分割体５０の電線接続部３３、５３に電線Ｗを接続する。そして、図２に示すように、第１分割体３０に対して第２分割体５０を後方から差し込む。第２分割体５０を後方から差し込むと、第２分割体５０の延伸部６５と曲げ片６７との間に第１分割体３０の後端部４５が挟み込まれつつ第２分割体５０は前方にスライドする。そして、延伸部６５の前端縁が第１分割体本体部３１の後端縁に当接して第２分割体５０が前方へのスライドを停止する。一方で、第２分割体５０の連結片６１が第１分割体３０の押さえ込み部４１の下を通過した後に、連結片６１の先端部が係合突起４３を乗り越えて、係合孔６３に係合突起４３が係合する。
【００３８】
第１分割体３０及び第２分割体５０が連結された状態では、図３及び図５に示すように、係合突起４３が係合孔６３の孔縁に係止することで、第２分割体５０が後方に抜け落ちるのを抑制することができる。また、押さえ込み部４１の上面部４１Ｂが連結片６１を上側から押さえ込むことで、連結片６１が上方に浮き上がって、係合孔６３から係合突起４３が外れるのを抑制することができる。そして、押さえ込み部４１の一対の側面部４１Ａに連結片６１の側面に当接することで、連結片６１が幅方向に移動するのを抑制することができる。一方、第１分割体３０の後端部４５の側面が第２分割体５０の曲げ片６７の内面と当接することで、互いに幅方向に移動するのを抑制することができる。このようにして、第１ボルト挿通孔１３を挟んで対向する位置で第１分割体３０と第２分割体５０とを連結していることから、互いにずれが発生することを抑制することができ、第１の端子１０が組み立てられた状態で保持される。
【００３９】
第２の端子７０についても、電線接続部７３に電線Ｗが接続される。そして、図３及び図７に示すように、第２の端子７０を第１の端子１０の連結のためのスライド方向とはほぼ直交する方向（幅方向）にスライドさせる。すると、第２の端子７０の端子組合せ被係合部８１が第１の端子１０の端子組合せ係合部２１の下側にスライド挿入される。そして、各突片２７、８７が各端子係合孔２９、８９に嵌まり合い、端子組合せ係合部２１と端子組合せ被係合部８１とが係合する。
【００４０】
第２の端子７０を組み合わせた後に、第１分割体３０もしくは第２分割体５０に対して前後方向（第１分割体３０と第２分割体５０のスライド連結方向）に連結状態を解くような力がかかった場合について説明する。この場合には、図１及び図５に示すように、各突片２７、８７と各端子係合孔２９、８９が係合しているので、各分割体３０、５０が前後方向に移動することを規制する。また、叩き出し片２１Ｂが対向面８５と当接し、ブリッジ片８３が第１ボルト挿通孔１３の前後孔縁１３Ａに当接することで、第１分割体３０が第２の端子７０に対して相対的に移動することが抑制される。一方で、ブリッジ片２３が第２ボルト挿通孔７７の前後孔縁７７Ａと当接し、叩き出し片８１Ｂが対向面２５に当接することで、第２分割体５０が第２の端子７０に対して相対的に移動することが抑制される。そして、第２の端子７０は一枚板でできているため、第１分割体３０と第２分割体５０とが前後方向に相対的に移動するのを抑制することができる。
【００４１】
第１の端子１０と第２の端子７０とが組み合わされた後に、組合せ状態の確認のためにボルト挿通孔１３、７７にテーパー軸状の治具を押し込むテストを行う。この際に、第１の端子１０において、ボルト挿通孔１３の幅方向（両分割体３０、５０の連結方向と直交する方向）に拡げる力がかかっても、連結片６１が押さえ込み部４１の側面部４１Ａに当接し、後端部４５が曲げ片６７の内面に当接することで、第１の端子１０が幅方向に分解するのを抑制することができる。また、第１の端子１０において、ボルト挿通孔１３の前後方向（両分割体３０、５０の連結方向）に拡げる力がかかっても、上述のように両分割体３０、５０が相対的に前後方向に移動するのが規制されていることから、第１の端子１０が前後方向に分解するのを抑制することができる。このようにして、第２の端子７０と組合せ後の第１の端子１０において、第１ボルト挿通孔１３が拡がる方向に対する力に対しても、抗うことができる。
【００４２】
そして、図４に示すように、パネル９０上に、組み立て後の組合せ端子金具Ｔを配置する。まず、第１の端子１０の回り止め片３７をパネル９０の係合孔９３に差し込んで、組合せ端子金具Ｔをパネル９０に仮止めする。そして、頭付ボルト９５を締め込んでいき、組合せ端子金具Ｔがパネル９０にアース接続される。この際に、頭付ボルト９５を締結する際のトルクが直接第１の端子１０にはかからないことから、第１分割体３０と第２分割体５０との連結状態を解く力が各分割体３０、５０にかかりにくくなる。また、仮に力がかかっても上述のように、第１の端子１０は連結状態を解く力に抵抗することができることから、意図せず連結状態が解除されることが抑制される。なお、組合せ端子金具Ｔの下面は、平坦面となっていることから、パネル９０との間に十分な接地面積を確保することができる。
【００４３】
以上のように、本実施形態では、各分割体３０、５０がそれぞれ電線接続部３３、５３を有するから、端子一枚分のスペースで、２本の電線Ｗと接続することができ、一つのアースポイントにより多くの電線を接続することができる。また、頭付ボルト９５がかかる第１本体部１１及び第２本体部７１は、ほぼ平坦な状態となっていることから、板厚２枚分の厚さで３本の電線Ｗと接続することができ、頭付ボルト９５締結後の高さを抑制することができる。
【００４４】
また、第１分割体３０と第２分割体５０とを前後方向にスライドして連結し、両分割体３０、５０からなる第１の端子１０に第２の端子７０を積層して組み合わせることになるが、その際には端子組合せ係合部２１と端子組合せ被係合部８１とを両分割体３０、５０のスライド連結方向とは直交する方向（幅方向）に端子１０、７０相互をスライドさせて組み合わせて積層する。そして、両端子１０、７０が積層された組合せ状態にあるとき、仮にボルト挿通孔１３を広げるような力や電線Ｗへの引っ張り力が作用したとしても、端子組合せ係合部２１は両分割体３０、５０の双方にそれぞれ形成されると共に、端子組合せ被係合部８１は前後方向については互いに変位不能な状態で設けられているから、両分割体３０、５０の連結状態を解く方向の力に抵抗することができる。
【００４５】
＜他の実施形態＞
本明細書で開示される技術は上記記述及び図面によって説明した実施形態に限定されるものではなく、例えば次のような実施形態も技術的範囲に含まれる。
（１）上記実施形態では、第１の端子１０と第２の端子７０との２つを組み合わせた組合せ端子であったが、３つ以上の端子を組み合わせるようにしても良い。
【００４６】
（２）上記実施形態では、第２の端子７０は一枚板で形成していたが、分割体によって形成しても良い。この場合には、第２の端子は、第１の端子１０のスライド連結方向と直交する方向にスライド連結されるようにすると良い。
【００４７】
（３）上記実施形態では、連結片６１と曲げ片６７とは、第１ボルト挿通孔１３を挟んだ位置に設けられていたが、同じ側に設けられていても良い。また、曲げ片６７はなくても良い。
【００４８】
（４）上記実施形態では、端子組合せ被係合部８１が板厚一枚分下がった形状となることで、端子組合せ係合部２１の下側にスライド挿入されるようになっていたが、端子組合せ被係合部が第２本体部と面一で、かつ端子組合せ係合部が第１本体部と面一になるようにしても良い。
【００４９】
（５）上記実施形態では、第２の端子７０の電線接続部７３は、第２電線接続部５３とほぼ同じ位置になっていたが、ずれた位置になっていても良い。
【００５０】
（６）上記実施形態では、頭付ボルト９５を締め込んでいたが、パネル９０側にスタッドボルトを立てて、そこにナットで締め込むようにしても良い。
【００５１】
（７）上記実施形態では、第１の端子１０が下側（パネル側）で、第２の端子７０が上側（ボルト側）で組み合わせられていたが、分割体を連結してなる端子が上側となっていても良い。
【符号の説明】
【００５２】
１０…第１の端子（分割体を連結してなる端子）
１１…第１本体部
１３…第１ボルト挿通孔（ボルト挿通孔）
２１…端子組合せ係合部
３０…第１分割体
３１…第１分割体本体部
３３…第１電線接続部
３５…延出片
４１…押さえ込み部（連結部）
４３…係合突起（連結部）
４５…後端部（連結部）
５０…第２分割体
５１…第２分割体本体部
５３…第２電線接続部
６１…連結片（連結部）
６３…係合孔（連結部）
６５…延伸部（連結部）
６７…曲げ片（連結部）
７０…第２の端子（他の端子）
７１…第２本体部
７３…電線接続部
７７…第２ボルト挿通孔（ボルト挿通孔）
８１…端子組合せ被係合部
９０…パネル（端子固定部分）
９５…頭付ボルト（ボルト）
Ｔ…組合せ端子金具
Ｗ…電線
【図１】
2017142895.tif 000003
【図２】
2017142895.tif 000004
【図３】
2017142895.tif 000005
【図４】
2017142895.tif 000006
【図５】
2017142895.tif 000007
【図６】
2017142895.tif 000008
【図７】
2017142895.tif 000009